(57)【要約】【課題】  本発明は、秤の不使用時に台所などで広い場所をとることなく秤を置いたり仕舞っておくことができ、その分台所を広く使用できることを課題とする。本発明は、表示部を収納可能とすることにより秤の不使用時に秤をコンパクトにすることができて場所をとらず、あるいは台所に置いていた場合でも表示部が汚れることを防止できる秤を提供することを目的とする。また、薄型の秤を立てておくことができれば広い場所を必要とせず台所を広く使用することができる。そこで、本発明は秤の不使用時に秤を立てておくことができるようにすることによって台所などを広く使用することができる秤を提供することを目的とする。【解決手段】  本体とプレートと表示部とを含み、本体に取付けられたプレートの上に被計量物を載せたときに、その重量が表示部に表示され目視できる秤であって、表示部の一部又は全部を収納しうる収納構造を有している。【選択図】  図１
2006112876.tif 000002
【特許請求の範囲】
【請求項１】
本体とプレートと表示部とを含み、本体に取付けられたプレートの上に被計量物を載せたときに、その重量が表示部に表示され目視できる秤であって、表示部の一部又は全部を収納しうる収納構造を有していることを特徴とする秤。
【請求項２】
表示部が収納構造に収納されたときに、表示部の全面が覆われる請求項１記載の秤。
【請求項３】
表示部が収納構造に収納されたときに、重量感知装置がプレートから重量的な影響を受けることを規制するための手段が備えられている請求項１又は請求項２記載の秤。
【請求項４】
重量感知装置がプレートから重量的な影響を受けることを規制する手段は、プレートの所定部分が可動の規制部に当たることによって規制する構成である請求項３記載の秤。
【請求項５】
表示部を収納構造に収納したときに、重量感知装置がプレートから重量的な影響を受けることを自動的に規制し、計量するために表示部を収納構造から出したときに、前記規制が自動的に解除される請求項３又は請求項４記載の秤。
【請求項６】
表示部は本体の側面から出し入れ自在である請求項１乃至請求項５記載の秤。
【請求項７】
表示部を出した状態の秤の全体形状は矩形であり、表示部を収納した状態の全体形状も矩形である請求項１乃至請求項６記載の秤。
【請求項８】
本体とプレートとを含み、本体に取付けられたプレートの上に被計量物を載せることによって計量する秤であって、プレートは本体の上に重ねるように取付けられ、秤全体の厚みが５ｃｍ以下であり、秤を立てた状態に支持する手段を備えていることを特徴とする秤。
【請求項９】
本体とプレートのそれぞれ同じ位置の側面が直線状に延びており、これらの直線状部分が協働して秤を立てた状態に支持する請求項８記載の秤。
【発明の詳細な説明】
【技術分野】
【０００１】
本発明は、主に一般家庭で使用される秤に関する。
【背景技術】
【０００２】
従来の秤は、目盛の表示部が本体に一体的に設けられ、その本体の上にプレート部材が設けられており、プレート部材に被計量物を載せて計量する構成である（例えば、特許文献１参照。）。
【特許文献１】特開平６−８８７４３号公報
【発明の開示】
【発明が解決しようとする課題】
【０００３】
本発明は、秤の不使用時に台所などで広い場所をとることなく秤を置いたり仕舞っておくことができ、その分台所を広く使用できることを課題とする。前述したように従来の秤は目盛の表示部が本体に一体的に設けられているので、本体に表示部を設けるためのスペースを確保する必要がある。しかし、表示部は計量に際しては不可欠であるが、計量した後はその表示部が目視できなくても差し支えない。むしろ表示部を何らかの方法で収納することによって、その分だけ秤をコンパクトにすることができるので秤の不使用時に場所をとらない。また、秤を台所用として用いることにより不使用時に台所に置いておくときは特に表示部が汚れやすいので、その表示部を収納しておくことにより表示部が汚れることを防止することができる。そこで本発明は、表示部を収納可能とすることにより秤の不使用時に秤をコンパクトにすることができて場所をとらず、あるいは台所に置いていた場合でも表示部が汚れることを防止でき、さらにはそれらの双方の効果を得られる秤を提供することを目的とする。また、調理用などの秤は薄型に形成されているものが多く利用されているが、不使用時に台所などに置いておく場合に比較的広い場所を占めるので邪魔である。そこで、薄型の秤を立てておくことができれば広い場所を必要とせず台所を広く使用することができる。そこで、本発明は秤の不使用時に秤を立てておくことができるようにすることによって台所などを広く使用することができる秤を提供することを目的とする。
【課題を解決するための手段】
【０００４】
本発明の請求項１は、本体とプレートと表示部とを含み、本体に取付けられたプレートの上に被計量物を載せたときに、その重量が表示部に表示され目視できる秤であって、表示部の一部又は全部を収納しうる収納構造を有している構成である。
【０００５】
請求項２は、表示部が収納構造に収納されたときに、表示部の全面が覆われる要素が請求項１に限定的に付加された構成である。
【０００６】
請求項３は、表示部が収納構造に収納されたときに、重量感知装置がプレートから重量的な影響を受けることを規制するための手段が備えられている要素が請求項１又は請求項２に限定的に付加された構成である。
【０００７】
請求項４は、重量感知装置がプレートから重量的な影響を受けることを規制するために、プレートの所定部分が可動の規制部に当たって規制する要素が請求項３に限定的に付加された構成である。
【０００８】
請求項５は、表示部を収納構造に収納したときに、重量感知装置がプレートから重量的な影響を受けることを自動的に規制し、計量するために表示部を収納構造から出したときに、前記規制が自動的に解除される要素が請求項３又は請求項４に限定的に付加された構成である。
【０００９】
請求項６は、表示部が本体の側面から出し入れ自在である要素が請求項１乃至請求項５に限定的に付加された構成である。請求項７は、表示部を出した状態の秤の全体形状は矩形であり、表示部を収納した状態の全体形状も矩形である要素が請求項１乃至請求項６に限定的に付加された構成である。
【００１０】
請求項８は、本体とプレートとを含み、本体に取付けられたプレートの上に被計量物を載せることによって計量する秤であって、プレートは本体の上に重ねるように取付けられ、秤全体の厚みが５ｃｍ以下であり、秤を立てた状態に支持する手段を備えている構成である。
【００１１】
請求項９は、本体とプレートのそれぞれ同じ位置の側面が直線状に延びており、これらの直線状部分が協働して秤を立てた状態に支持する要素が請求項８に限定的に付加された構成である。
【発明の効果】
【００１２】
請求項１は、本体とプレートと表示部とを含み、本体に取付けられたプレートの上に被計量物を載せたときに、その重量が表示部に表示され目視できる秤であって、表示部の一部又は全部を収納しうる収納構造を有している。したがって、表示部を突出させて計量するときに、使用後は表示部の一部又は全部を収納することによりそれまで表示部が占めていた空間を減じることができるので、その分だけ秤をコンパクトにすることができる。これにより、秤の不使用時に秤の占めるスペースを小さくすることができるから、台所などを広く使用することができる。
【００１３】
請求項２は、表示部が収納構造に収納されたときに、表示部の全面が覆われる構成である。秤を不使用時に台所などに置いておくとその表示部がすぐに汚れるのであるが、表示部の全面が覆われるので表示部が汚れることを効果的に防止できる。また、表示部は衝撃に弱い材料で形成されている場合が多いのであるが、秤に物が衝突したときにそのような材料で形成された表示部の破損を防止できる。
【００１４】
請求項３は、表示部が収納構造に収納されたときに、重量感知装置がプレートから重量的な影響を受けることを規制するための手段が備えられている構成である。秤の不使用時に表示部が収納構造に収納された状態で、不意に秤のプレートに衝撃などが加わったときにその衝撃を規制することができるので、衝撃による秤の故障を防止することができる。
【００１５】
請求項４は、重量感知装置がプレートから重量的な影響を受けることを規制するために、プレートの所定部分が可動の規制部に当たって規制する構成を有している。したがって、重量感知装置がプレートから重量的な影響を受けることの規制とその解除は、可動の規制部を指で操作することにより簡単に行うことができるから取り扱いに便利である。
【００１６】
請求項５は、表示部を収納構造に収納したときに、重量感知装置がプレートから重量的な影響を受けることを自動的に規制し、計量するために表示部を収納構造から出したときに、前記規制が自動的に解除される構成である。したがって、重量感知装置がプレートから重量的な影響を受けることの規制とその解除は表示部の出し入れによって行うことができるのであって、表示部が収納されたときは自動的に規制され、表示部を出したときに規制は自動的に解除できる。これにより、使用者はそのような規制と解除について気を遣わなくてもよいから使用後に規制手段をセットし忘れることがない。
【００１７】
請求項６は、表示部が本体の側面から出し入れ自在である構成である。したがって、使用時に表示部が本体の側面から突出した状態にあって、使用後にこの表示部を本体内に収納することにより秤の占める面積が狭くなるので台所を広く使用することができる。
【００１８】
請求項７は、表示部を出した状態の秤の全体形状は矩形であり、表示部を収納した状態の全体形状も矩形である構成である。したがって、表示部の幅を本体の幅よりやや狭いがそれに近い幅に形成することができるので表示部を広くすることができて表示された数値の読み取りが楽である。また、電子秤では、表示部の隣にスイッチなどを設けるのでその分だけ表示部が狭くなるが、それでも表示部の幅は本体の幅からスイッチの幅を引いた幅に近い幅を確保できるので、楽に数値を読み取ることができる。さらに、表示部を矩形にしたときは、その矩形の表示部の縦幅だけ表示部を出せばよく、必要のない部分まで出すことがないので、表示部の出し入れに際して表示部の移動距離を最小とすることができて操作が楽である。また、表示部を収納した状態の全体形状が矩形であるから立てかけておくことができるばかりでなく、その矩形の側部を利用して秤を立てて置くことが可能である。
【００１９】
請求項８は、本体とプレートとを含み、本体に取付けられたプレートの上に被計量物を載せることによって計量する秤であって、プレートは本体の上に重ねるように取付けられ、秤全体の厚みが５ｃｍ以下であり、秤を立てた状態に支持する手段を備えている。したがって、不使用時に秤を立てた状態にして置いておくことができるから、台所などに置いておいても邪魔にならないという効果を奏する。
【００２０】
請求項９は、本体とプレートのそれぞれ同じ位置の側面が直線状に延びており、これらの直線状部分が協働して秤を立てた状態に支持する構成である。したがって、例えば本体又はプレートの側面が下方に行くに従って外側に広がる裾広がりの形状をなしているとき、あるいは本体又はプレートの側面の幅が狭いときは片方の側面のみでは秤を立てて置くことができないが、双方の側面の直線状部分が協働して秤を立てて置くことができる。また、本体又はプレートの一方又は双方の側面が下方に行くに従って外側に広がる裾広がりの形状をなしているときは、秤を立てたときにそれらの側面の下側に隙間ができるので乾燥しやすく、長期間台所などに置いておいてもカビの発生を効果的に防止できる。
【発明を実施するための最良の形態】
【００２１】
次に本発明を実施するための最良の形態について説明する。秤は電子秤であるが、本発明はこれに限定されるものではない。図３に示すように秤は矩形の本体１の上に矩形のプレート２が載せられて支持されている。また、図２に示すように上面に表示部３を有する表示部材４が本体１の収納部５から出し入れ可能に装着されている。表示部材４を収納部５から出し入れすることにより表示部３も収納部５に収納したり出したりすることができる。
【００２２】
図１に示すように本体１の上面に開放口１５が形成され、本体１の内部６には乾電池あるいは重量感知装置（いずれも図示せず。）などが配置されている。なお、図６に示すように本体の底部には乾電池収納部の蓋２５が取付けられており、この中に乾電池が収納されている。開放口１５の周囲には内向きのフランジ７が設けられ、本体１の側面９近くのフランジ７部分に孔８及び半円形切欠き部２１が設けられている。これらの孔８及び半円形切欠き部２１は他方の側面９近くにも設けられている。図８に示すように本体の側面９，９は共に下方に行くに従って外側に広がる裾広がりの台形をなし、図３に示すように本体の端面１０も下方に行くに従って外側に広がる裾広がりの形状をなしている。このように側面９，９及び端面１０を裾広がりとすることによって、秤として安定感のある印象を需要者に与えることができる。
【００２３】
本体の端面１０に対向する他方の面は全面的に開放されており、その中に表示部３を有する表示部材４が収納部５から出し入れ可能に装着されている。したがって、収納部５の幅及び高さは本体１を構成するハウジング板材の厚みを除いただけの大きさである。側面９，９の前端には切欠き部１３が形成され、収納部５に収納された表示部材４を出す際にその切欠き部１３から表示部材４を手で摘んで操作する。なお、図６に示すように本体１の下面に切欠き部２４が設けられており、この切欠き部２４に指を入れてその指を表示部材の支持突部１６に引っ掛けることにより表示部材４を引き出すこともできる。さらに、本体１の上面の周囲には壁１４が一体に設けられている。この壁１４は、後述するように被計量物の重量が最大重量をこえたときに秤を保護するためのものである。
【００２４】
表示部材４は本体１と別体に形成され、表示部材４の上面に重量を表示する表示部３が設けられている。そして、表示部３の隣に電源スイッチ１１と、計量前の状態で０グラムを表示させるための０ｇスイッチ１２が設けられている。使用時に表示部３は収納部５から出ており、表示部３の全面が目視できる状態におかれる。不使用時には図５に示すように表示部３は収納部５内に収納され表示部３の全面が覆われる。表示部材４の基部２２と収納部５の間には係止手段（図示せず。）があって、表示部材４が図１に示すように収納部５から出たときに表示部材４の基部２２を係止し、表示部材４が収納部５から完全に抜き出てしまうことを防止する。また、表示部材４の端部下面に支持突部１６が一体に設けられており、表示部材４を出して使用する際に表示部材４の端部を支持してその端部が沈むことを防止する。
【００２５】
さらに、図４に示すように表示部材４を出した状態では、本体のフランジ７に設けられた孔８及び半円形切欠き部２１は上下に貫通しているのであるが、表示部材４を収納部５に完全に入れたときはこの表示部材４の基部２２によって孔８及び半円形切欠き部２１の下面は塞がれるのである。これは、後述するように表示部材４が収納部５に収納されたときに、重量感知装置がプレート２から重量的な衝撃を受けることを規制するためのものである。
【００２６】
プレート２はほぼ正方形をなして本体１の上に支持されており、このプレート２の上に被計量物を載せることによって計量する。プレート２の側部寄りの下面には規制突部１７，１７と規制突部２０，２０が設けられている。図４に示すように、規制突部１７は孔８に挿入されており、秤を使用するために表示部材４を収納部５から出したときは、図７に示すように被計量物の荷重によってプレート２は沈んで規制突部１７は収納部５内に挿入され、同様に規制突部２０は半円形切欠き部２１を介して収納部５内に挿入され計量することができる。しかし、表示部材４が収納部５内に収納された不使用時では、図８に示すように表示部材４の基部２２が孔８の下面を塞ぐので、規制突部１７は表示部材４の基部２２に規制されて収納部５内への挿入が阻止される。同様に規制突部２０も表示部材４の基部２２に規制されて収納部５内への挿入が阻止される。これにより、表示部材４を収納部５内に収納した状態でプレート２に不意に衝撃などが加わっても、２つの規制突部１７と２つの規制突部２０が表示部材４の基部２２により規制されることでプレート２は４箇所で支持されて沈むことがなく、例えば重量感知装置がそれら４つの規制突部１７，１７，２０，２０に囲まれる範囲内にあるときは重量感知装置が影響を受けることがないのである。
【００２７】
また、図７に示すようにプレート２の下面の周辺近くにリブ１８が一体に形成されており、プレート２に最大計量をこえる被計量物を載せたときにこのリブ１８が本体の壁１４に当たって秤を保護する。さらに、図７及び図８に示すようにプレート２の側面１９，１９は本体１と同様に裾広がりの形状に形成されている。また、前述したように本体の側面９，９も裾広がりに形成されている。したがって、秤を横にして立てようとしても側面９が傾斜面のために本体の側面９のみでは立てることができない。しかし、図９に示すように本体の下端周縁２６とプレートの下端周縁２７が協働して、すなわち本体１とプレート２の最外の直線部によって秤を横にして立てることができるから、不使用時に場所をとらないという効果を奏する。また、両側面９，１９は裾広がりなので、秤を立てたときに本体の側面９とプレートの側面１９の下側に隙間ができるからそれら側面及び秤の置き場所のいずれもが乾燥しやすく、長期間台所などに置いておいてもカビの発生を効果的に防止できる。
【００２８】
なお、本発明の実施形態のサイズについて説明すると、図１に示すように表示部材４を引き出したときの秤全体の長さは約１６４ｍｍであり、表示部材４の引き出されている部分の長さは約４４ｍｍであり、本体１の幅は約１０５．５ｍｍである。表示部材４の幅は本体１よりやや狭く約１０１ｍｍである。また、図５に示すように表示部材４を収納した状態の秤全体の長さは約１２５ｍｍである。図３に示すように本体１の下面には接地突部２３が取付けられているが、この接地突部２３を除いた本体１の下面からプレート２の上面までの高さは約３５ｍｍである。なお、接地突部２３は円筒形であるが全面的に接地するのではなく接地突部周囲の環状部分が接地するものである。環状とすることにより接地突部２３の高さの誤差をなくし使用時における秤のガタつきを防止できる。
【００２９】
図９に示すように秤の側面９を下にして立て置くときは、本体の側面９とプレートの側面１９は共に裾広がりであるからこれらの側面９，１９は全面的に接地せず本体１とプレート２の下端周縁２６，２７が接地する。本体の側面９とプレートの側面１９を裾広がりにせず垂直面にしたときは、接地幅ｔは秤の高さと等しくなる。本実施形態の下端周縁２６，２７による接地幅ｔは２６ｍｍである。接地幅ｔは１２ｍｍ以上が好ましいが、あまり大きな数値であると安定性は増すがその分場所をとるので６０ｍｍ以下であることが好ましい。適当な接地幅であっても秤の幅が広いときは立て置いたときの高さが高いので安定性に欠けることになる。すなわち秤の安定性は秤の幅と接地幅の比率が要因のひとつであり、実施形態での秤の幅を接地幅で除した数値は約４．１である。この数値が約２．８〜８．０の範囲であれば、秤を薄型とすることができ且つ安定的に立てることができる。
【００３０】
次に、秤の端面１０を下にして秤を立てるときに、表示部材４を収納した状態における秤全体の長さを接地幅ｔで除した数値は約４．８であり、この数値が２．８〜８．０の範囲で秤を安定的に立てることができる。通常、秤の長さは幅よりも長いので端面１０を下にして秤を立てたときは縦長になって、側面９を下にして立てたときよりもやや安定性に欠ける。しかし、図６に示すように乾電池の収納部の蓋２５を端面１０近くに取付けることにより、秤の端面１０を下にして立てたときに乾電池の影響で重心が下方に寄るので側面９を下にして立てたときと同様の安定性が得られる。なお、本発明がこれまでに述べた数値に限定されないことは勿論である。
【図面の簡単な説明】
【００３１】
【図１】表示部を出しプレートを一部切断した本発明の上面図
【図２】本発明の上面図
【図３】本発明の側面図
【図４】図１の内部構造を省略したＣ−Ｃ断面図
【図５】表示部を収納しプレートを一部切断した本発明の上面図
【図６】表示部を収納した本発明の底面図
【図７】図１の内部構造を省略したＡ−Ａ断面図
【図８】図５の内部構造を省略したＢ−Ｂ断面図
【図９】本発明を立て置きした斜視図
【符号の説明】
【００３２】
１  本体
２  プレート
３  表示部
４  表示部材
５  収納部
６  内部
７  フランジ
８  孔
９  側面
１０  端面
１１  電源スイッチ
１２  ０ｇスイッチ
１３  切欠き部
１４  壁
１５  開放口
１６  支持突部
１７  規制突部
１８  リブ
１９  側面
２０  規制突部
２１  半円形切欠き部
２２  表示部材の基部
２３  接地突部
２４  切欠き部
２５  乾電池収納部の蓋
２６  下端周縁
２７  下端周縁
【図１】
2006112876.tif 000003
【図２】
2006112876.tif 000004
【図３】
2006112876.tif 000005
【図４】
2006112876.tif 000006
【図５】
2006112876.tif 000007
【図６】
2006112876.tif 000008
【図７】
2006112876.tif 000009
【図８】
2006112876.tif 000010
【図９】
2006112876.tif 000011